(57)【要約】【課題】台間機を遊技機の左側あるいは右側の何れにも配置でき、台間機の製造コストを削減する。【解決手段】台間機１０が遊技機１２の左側に配置される場合、基部取付部３４を筐体取付部３８に第１取り付け位置で取り付ける。これにより表示部２４の表示面３０Ａは、筐体１４の正面から左前方向に向き、利用者に表示面３０Ａからの情報が提供される。台間機１０が遊技機１２の右側に配置される場合、基部取付部３４を筐体取付部３８に第２取り付け位置で取り付ける。これにより表示部２４の表示面３０Ａは、筐体１４の正面から右前方向に向き、利用者に表示面３０Ａからの情報が提供される。【選択図】図１
2019093300.tif 000002
【特許請求の範囲】
【請求項１】
遊技機の右側方にも左側方にも配置することが可能な台間機における表示部の取付構造であって、
前記表示部を支持すると共に、前記台間機の筐体に取り付ける基部取付部と、
前記筐体に設けられ前記基部取付部が取り付けられる筐体取付部とを備え、
前記台間機を正面から見た場合の前後方向に延在する軸を前後軸と定義した場合に、前記基部取付部は、前記筐体取付部に対して前記前後軸回りに１８０度位相が異なる第１取り付け位置と第２取り付け位置とに付け替え可能に設けられ、
前記基部取付部が前記筐体取付部に前記第１取り付け位置で取り付けられた状態で、利用者に提供すべき情報を表示する前記表示部の表示面は前記筐体の正面から左前方向に向き、前記第２取り付け位置で前記筐体取付部に取り付けられた状態で、前記表示部の表示面は前記筐体の正面から右前方向に向く、
ことを特徴とする台間機における表示部の取り付け構造。
【請求項２】
前記基部取付部は、前記筐体取付部中央の前記前後軸に対して点対称の形状で形成されている、
ことを特徴とする請求項１記載の台間機における表示部の取り付け構造。
【請求項３】
前記基部取付部は、雌ねじを含んで構成され、
前記筐体取付部は、前記雌ねじにその軸心が合致するねじ挿通孔が、前記前後軸に対して点対称の位置に設けられている、
ことを特徴とする請求項２記載の台間機における表示部の取り付け構造。
【請求項４】
前記基部取付部の中央に配線挿通孔が設けられている、
ことを特徴とする請求項１から３の何れか１項記載の台間機における表示部の取り付け構造。
【請求項５】
前記基部取付部は、前記表示部を支持する表示基部を有し、
前記表示部と前記表示基部との間には、前記表示基部に対して前記表示部を、鉛直軸を中心として傾倒可能に支持する支持機構が設けられており、
前記支持機構は、フリーストップヒンジで構成されている、
ことを特徴とする請求項１から４の何れか１項記載の台間機における表示部の取り付け構造。
【請求項６】
前記表示部は、水平方向の幅と、上下方向の長さと、それら幅および長さに直交する厚さを有する表示部用筐体を備え、
前記表示部用筐体の前記厚さ方向の一方の面に、利用者に提供すべき情報を表示する表示面が設けられ、
前記表示部用筐体の前記厚さ方向の一方の面で前記上下方向の中央部に利用者の顔を撮像するカメラが設けられている、
ことを特徴とする請求項１から５の何れか１項記載の台間機における表示部の取り付け構造。
【発明の詳細な説明】
【技術分野】
【０００１】
本発明は、台間機における表示部の取り付け構造に関する。
【背景技術】
【０００２】
従来、遊技店には、パチンコ台やスロット台のような遊技機が並べて配置され、各遊技機に隣接してパチンコ玉やメダル（遊技媒体）の払い出しを行なう遊技媒体貸出機（台間機）が配置されている。
遊技媒体貸出機は、筐体を備え、利用者が貨幣を貨幣投入口に投入することで、あるいは、所定のカード媒体をカード挿入口に挿入することで、筐体内部の払い出しホッパによりパチンコ玉やメダルの払い出しを行なう。
このような遊技媒体貸出機として、液晶モニタなどの表示部を設け、表示部に遊技媒体の払い出し数や獲得した遊技媒体の獲得数などの情報を表示させるようにしたものが提供されている。
そして、表示部を鉛直軸回りに傾倒可能に支持する支軸やヒンジを設け、利用者が表示部の角度を調整できるようにしたものが提供されている（特許文献１、２参照）。
【０００３】
ところで、近年、遊技媒体を投入することなく遊技を行なうことができる遊技機が開発されており、このような遊技機がパチンコ台の場合は管理遊技機と呼ばれ、スロット台の場合はメダルレス遊技機と呼ばれている。
このような管理遊技機やメダルレス遊技機を利用する場合、遊技媒体を払い出す遊技媒体貸出機に代えて、貨幣を投入することで、あるいは、カードを挿入することで遊技価値情報を管理遊技機やメダルレス遊技機に送信し、管理遊技機やメダルレス遊技機での遊技を可能とする台間機をそれら遊技機に併設することになる。
このような台間機は、遊技媒体の払い出しを行なう必要がないため、管理遊技機用の台間機とメダルレス遊技機用の台間機とは、ソフトウェアの相違はあるもののハードウェアおよび外形寸法が同じ台間機を使用することができる。
【０００４】
従来、遊技機がパチンコ台の場合、遊技媒体貸出機はパチンコ台の左側に配置されることが多く、遊技機がスロット台の場合、遊技媒体貸出機はスロット台の右側に配置されることが多い。これは、スロット台の左側に遊技媒体貸出機を配置した場合、スロット台の左側に設けられたヒンジを介してスロット台の扉を開放すると、スロット台の扉が構造的に分厚いため、スロット台の扉が遊技媒体貸出機のノズルと干渉するので、これを避けるためなどの理由による。
したがって、長年、パチンコ台、スロット台を利用してきた利用者にとっては、パチンコ台に対応する管理遊技機の場合はその左側に台間機を配置し、スロット台に対応するメダルレス遊技機の場合はその右側に台間機を配置することが違和感なく遊技を行なう上で有利である。
また、遊技店において遊技媒体貸出機に投入された紙幣を搬送する紙幣搬送装置が既に存在する場合は、管理遊技機の場合はその左側に台間機を配置し、メダルレス遊技機の場合はその右側に台間機を配置することで、紙幣搬送装置を大きく変更することなく使用できるため、遊技店の設備コストを抑制する上で有利である。
【先行技術文献】
【特許文献】
【０００５】
【特許文献１】特開２００４−２７５７１７公報
【特許文献２】特開２０１８−４２９５５公報
【発明の概要】
【発明が解決しようとする課題】
【０００６】
ところで、このような管理遊技機やメダルレス遊技機に対応した台間機を使用する場合、遊技機の種類に応じて台間機を遊技機の左側あるいは右側に配置するため、何れの場合であっても、表示部を左側あるいは右側に傾倒させて表示部の表示面の向きを利用者に向けて調整できることが望ましい。
しかしながら、特許文献１、２の構造では、表示部を傾倒していくと表示部の部分が台間機の筐体に干渉する構造となっており、表示部の傾倒範囲が限定されている。
そのため、特許文献１、２を採用した場合は、管理遊技機およびメダルレス遊技機のそれぞれに対応して、表示部を右側に傾倒させる構造の台間機と、表示部を左側に傾倒させる構造の台間機とを別々に用意する必要がある。
したがって、表示部を右側に傾倒させる構造の台間機では遊技機の左側に設置し、表示部を左側に傾倒させる構造の台間機では遊技機の右側に設置しなければならないため、台間機の設置を簡単に行なう上で不利となり、また、遊技機の左側と右側に設置する台間機を製造しなければならないため、台間機についての費用がかさむ不利がある。
本発明は、上記事情に鑑みなされたものであり、本発明の目的は、台間機を遊技機の左側あるいは右側の何れにも配置でき、台間機の製造コストを削減する上で有利な台間機における表示部の取り付け構造を提供することにある。
【課題を解決するための手段】
【０００７】
上記目的を達成するために、本発明は、遊技機の右側方にも左側方にも配置することが可能な台間機における表示部の取付構造であって、前記表示部を支持すると共に前記台間機の筐体に取り付ける基部取付部と、前記筐体に設けられ前記基部取付部が取り付けられる筐体取付部とを備え、前記台間機を正面から見た場合の前後方向に延在する軸を前後軸と定義した場合に、前記基部取付部は、前記筐体取付部に対して前記前後軸回りに１８０度位相が異なる第１取り付け位置と第２取り付け位置とに付け替え可能に設けられ、前記基部取付部が前記筐体取付部に前記第１取り付け位置で取り付けられた状態で、利用者に提供すべき情報を表示する前記表示部の表示面は前記筐体の正面から左前方向に向き、前記第２取り付け位置で前記筐体取付部に取り付けられた状態で、前記表示部の表示面は前記筐体の正面から右前方向に向くことを特徴とする。
また、本発明は、前記基部取付部は、前記筐体取付部中央の前記前後軸に対して点対称の形状で形成されていることを特徴とする。
また、本発明は、前記基部取付部は、雌ねじを含んで構成され、前記筐体取付部は、前記雌ねじにその軸心が合致するねじ挿通孔が、前記前後軸に対して点対称の位置に設けられていることを特徴とする。
また、本発明は、前記基部取付部の中央に配線挿通孔が設けられていることを特徴とする。
また、本発明は、前記基部取付部に前記表示部を支持する表示基部を有し、前記表示部と前記表示基部との間には、前記表示基部に対して前記表示部を、鉛直軸を中心として傾倒可能に支持する支持機構が設けられており、前記支持機構は、フリーストップヒンジで構成されていることを特徴とする。
また、本発明は、前記表示部は、水平方向の幅と、上下方向の長さと、それら幅および長さに直交する厚さを有する表示部用筐体を備え、前記表示部用筐体の前記厚さ方向の一方の面に、利用者に提供すべき情報を表示する表示面が設けられ、前記表示部用筐体の前記厚さ方向の一方の面で前記上下方向の中央部に利用者の顔を撮像するカメラが設けられていることを特徴とする。
【発明の効果】
【０００８】
本発明によれば、基部取付部の筐体取付部に対する取り付け位置を第１取り付け位置と第２取り付け位置に変えるという簡単な操作で台間機の表示部の表示面の左右方向の向きを変えることができるので、遊技店において遊技機のレイアウトやスペースなどに応じて台間機を遊技機の左側あるいは右側の何れの任意の箇所に何ら制約を受けることなく設置でき、遊技店において台間機の設置を簡単に行なう上で有利となる。
また、表示部を右側に傾倒させる構造の台間機と、表示部を左側に傾倒させる構造の台間機とを別々に製造する必要がなくなるため、台間機の製造コストを削減し、遊技店において台間機についての費用を削減する上で有利となる。
また、基部取付部を、筐体取付部中央の前後軸に対して点対称の形状で形成すると、第１取り付け位置と第２取り付け位置において、基部取付部を筐体取付部に簡単に脱着する上で有利となる。
また、基部取付部に雌ねじを含んで構成し、筐体取付部に、雌ねじにその軸心が合致するねじ挿通孔を前後軸に対して点対称の位置に設けると、第１取り付け位置と第２取り付け位置において、基部取付部を筐体取付部に簡単に脱着する上で有利となる。
また、基部取付部の中央の前後軸付近に配線挿通孔を設けると、配線挿通孔を挿通したコードで表示部と台間機の筐体とを接続した状態で、基部取付部を筐体取付部に対して前後軸回りに第１取り付け位置と第２取り付け位置との間で回転してもコードが１８０度ねじられるだけで済むため、コードを取り外して配線し直すといった大掛かりな作業が不要となり、作業性の向上を図る上で有利となる。
また、表示部と表示基部との間に、表示基部に対して表示部を、鉛直軸を中心として傾倒可能に支持する支持機構を設けると、表示部を傾倒させることで表示面に表示される情報の視認性を確保する上で有利となる。
また、支持機構をフリーストップヒンジで構成すると、表示部の表示面にタッチパネルが設けられている場合、タッチパネルを操作する程度の力が表示部に作用しても表示部は傾倒しないため、表示部の視認性を確保する上で有利となる。
また、表示部用筐体の厚さ方向の一方の面で上下方向の中央部に利用者の顔を撮像するカメラを設けると、第１取り付け位置と第２取り付け位置との双方の位置で、表示面の向きとカメラの撮影方向とを一致させることができるため、カメラの撮影方向が利用者の顔を指向する可能性が高くなり、カメラにより利用者の顔を的確に撮像する上で有利となる。
【図面の簡単な説明】
【０００９】
【図１】第１の実施の形態に係る台間機の斜視図であり、表示部が右側に傾倒した状態を示す。
【図２】第１の実施の形態に係る台間機の斜視図であり、表示部が左側に傾倒した状態を示す。
【図３】第１の実施の形態に係る台間機における表示部の取り付け構造の要部を示す分解斜視図である。
【図４】表示部および表示基部の分解斜視図である。
【図５】基部取付部の筐体取付部への取り付けの説明図であり、（Ａ）は第１の実施の形態に対応し、（Ｂ）は第１の変形例に対応し、（Ｃ）は第２の変形例に対応し、（Ｄ）は第３の変形例に対応している。
【図６】第１の実施の形態の台間機がパチンコ台である管理遊技機の左側に配置された状態を示す斜視図である。
【図７】第１の実施の形態の台間機がスロット台であるメダルレス遊技機の右側に配置された状態を示す斜視図である。
【図８】第１の実施の形態における台間機および周辺装置の構成を示すブロック図である。
【図９】（Ａ）は第２の実施の形態に係る台間機における表示部の取り付け構造の要部の正面図、（Ｂ）は同側面断面図である。
【図１０】（Ａ）は第３の実施の形態に係る台間機における表示部の取り付け構造の要部の正面断面図であり図１０（Ｂ）における１０Ａ矢視断面図、（Ｂ）は同側面図、（Ｃ）はアーム部と基部取付部の分解斜視図である。
【図１１】第４の実施の形態に係る台間機における表示部の取り付け構造の一部を破断して示す側面図である。
【図１２】図１１のＸ−Ｘ線断面図である。
【図１３】筐体用ブラケット、表示基部、基部取付部の分解斜視図である。
【発明を実施するための形態】
【００１０】
（第１の実施の形態）
以下、本発明の実施の形態について添付図面を参照して説明する。
図６、図７に示すように、台間機１０は、遊技機１２の側方に配置されるものである。
本実施の形態では、遊技機１２は、パチンコ玉（遊技媒体）を投入することなく遊技を行なうパチンコ台である管理遊技機１２Ａ、あるいは、メダル（遊技媒体）を投入することなく遊技を行なうスロット台であるメダルレス遊技機１２Ｂである。
図１、図２に示すように、台間機１０は、筐体１４と、状態表示ランプ１６と、紙幣硬貨処理部１８と、制御部２０と、カードリーダライタ２２と、表示部２４と、カメラ２６などを含んで構成されている。
【００１１】
筐体１４は、縦長直方体形状を呈し、底板１４０２と、底板１４０２の両側から起立する一対の側面板１４０４と、底板１４０２の前後から起立する正面板１４０６および背面板１４０８と、それら側面板１４０４、正面板１４０６、背面板１４０８の上端を接続する天板１４１０とを備え、中空状に構成されている。
筐体１４の内部には、上から順番に紙幣硬貨処理部１８、制御部２０、カードリーダライタ２２が収納され、正面板１４０６には、上から順番に状態表示ランプ１６、貨幣投入口１４１２、表示部２４、カード挿入口１４１４が設けられている。
【００１２】
状態表示ランプ１６は、台間機１０の状態を表示するものであり、正面板１４０６の上端に設けられている。
紙幣硬貨処理部１８は、貨幣投入口１４１２から利用者が投入する紙幣や硬貨等の通貨を識別すると共に、通貨価値や当該紙幣硬貨処理部１８におけるステータス情報を出力する。
制御部２０は、台間機１０の各種制御を行なうものであり、具体的な構成については後述する。
カードリーダライタ２２は、カード挿入口１４１４から利用者により挿入されたカードの識別情報や遊技価値、通貨価値等の情報を読み取って後述する情報処理部２０Ａ（図８参照）に出力すると共に、当該カードリーダライタ２２におけるステータス情報を情報処理部２０Ａに出力する。また、情報処理部２０Ａの指令に基づいて、各種情報をカードに書き込む処理を行う。
また、カードリーダライタ２２内に一般カードのストック部を設けることによって、一般カードの発行や回収を行うこともできる。
また、カード取込式のカードリーダライタ２２に代えて、一般的にＮＦＣ（Ｎｅａｒ Ｆｉｅｌｄ Ｃｏｍｍｕｎｉｃａｔｉｏｎ：近距離無線通信規格）で用いられているカードリーダライタ（近距離無線通信用のアンテナが筐体１４の表面に設けられている形式）を用いることも可能である。その場合には、利用者により筐体１４の表面に配置されているアンテナにかざされた非接触式ＩＣカードに関して上記と同様の処理を行なう。
【００１３】
表示部２４は、利用者に提供すべき情報を表示するものであり、水平方向の幅と、上下方向の長さと、それら幅および長さに直交する厚さを有し、本発明に係る表示部の取り付け構造を介して筐体１４に後述する鉛直仮想軸Ａ（図３参照）を中心に傾倒可能に支持されている。
【００１４】
カメラ２６は、顔認証のために利用者の顔を撮像するものであり、図３に示すように、表示部２４の厚さ方向の一方の面で上下方向の中央部に設けられている。カメラ２６については後で詳述する。
【００１５】
次に図８を参照して台間機１０と周辺装置の構成について詳細に説明する。
台間機１０の制御部２０は、情報処理部２０Ａと、遊技価値管理部２０Ｂと、通信ＩＦ２０Ｃと、入出力ポート（Ｉ／Ｏ）２０Ｄとを備えている。
【００１６】
情報処理部２０Ａは、ＣＰＵ（中央情報処理装置）、ＲＯＭ、ＲＡＭ等から構成され、台間機１０に搭載されている周辺機器に対する各種の制御や処理をプログラムに基づいて行う。
【００１７】
遊技価値管理部２０Ｂは、遊技機１２との間で情報の送受信を行う。遊技価値管理部２０Ｂが遊技価値情報を遊技機１２に送信すると、当該遊技価値情報を受信した遊技機１２において遊技の実行が可能となる。遊技機１２において遊技が終了した際には、遊技機１２が遊技価値情報を出力するので、遊技価値管理部２０Ｂは当該遊技価値情報を受信する。また、接続されている遊技機１２の遊技機情報（機種情報、性能情報、設置情報、遊技価値のＩＮ・ＯＵＴ情報、不正監視情報等）や、遊技状態情報（ボーナス情報、アシストタイム情報、確変情報、時短情報等）を取得することもできる。
【００１８】
通信ＩＦ２０Ｃは、上位の装置１００、１０２（中継基板、持玉あるいは持メダルサーバ、貯玉あるいは貯メダルサーバ、プリペイドサーバ、呼出ボタン、ホールコンピュータ等）と各種情報の送受信を行うポートである。
通信ＩＦ２０Ｃにて送受信する情報は、例えば紙幣硬貨処理部１８に挿入又は投入された通貨の通貨価値情報、紙幣硬貨処理部１８におけるステータス情報、カードリーダライタ２２が読み取ったカード情報、カードに書き込む書込情報、カードリーダライタ２２におけるステータス情報、遊技価値管理部２０Ｂが遊技機１２に出力した遊技価値情報、遊技価値管理部２０Ｂが遊技機１２から取得した遊技価値情報や遊技機情報、遊技状態情報、会員情報、持玉あるいは持メダル情報、カメラ２６が撮影した画像情報、当該台間機１０に対して利用者が行った操作情報、当該台間機１０におけるステータス情報、その他の情報が含まれる。
【００１９】
入出力ポート２０Ｄは、利用者が操作する後述する表示部２４に表示される操作ボタンの押下状況や、スイッチ等の接点状況を読み取って、その情報を情報処理部２０Ａに伝達する。
また、入出力ポート２０Ｄは、状態表示ランプ１６等の点灯や、音の発生を制御する。
また、入出力ポート２０Ｄは、外部表示器１０４に表示情報を出力したり、外部の紙幣硬貨搬送装置１０６との間で紙幣、硬貨の搬送に関する情報の入出力を行うことができる。
また、入出力ポート２０Ｄは、表示部２４に利用者に提供すべき情報を出力する。
【００２０】
利用者が遊技機１２を用いて遊技を行う場合には、例えば紙幣を紙幣硬貨処理部１８に挿入して、通貨価値を台間機１０に移行させる。次に、利用者が貸出ボタンを操作すると、台間機１０は通貨価値を遊技価値に変換した遊技価値情報を生成して遊技機１２に出力する。遊技機１２では、台間機１０から取得した遊技価値情報に基づいて遊技を実行することが可能となる。
なお、台間機１０は、カードと関連付けられている通貨情報、持玉あるいは持メダル情報、又は貯玉あるいは貯メダル情報に基づいて遊技価値情報を生成して遊技機１２に出力することもできる。
【００２１】
遊技が終了して利用者が遊技機１２に設けられている計数ボタンを押すと、遊技機１２は遊技価値情報を台間機１０に出力する。台間機１０は、遊技機１２から取得した遊技価値情報を持玉あるいは持メダル情報に変換する。利用者がカード返却ボタンを押すと、持玉あるいは持メダル情報を会員カード又は一般カードに書き込んで排出する。また、カードリーダライタ２２が非接触型ＩＣカードに対応したものであった場合には、利用者がカードリーダライタ２２にかざしたカード（非接触型ＩＣカード）に持玉あるいは持メダル情報を書き込むこともできる。
【００２２】
図３に示すように、表示部２４は、表示部用筐体２８と、表示器３０と、タッチパネル３２とを含んで構成されている。
図４に示すように、表示部用筐体２８は、上下に縦長の矩形板状を呈し、矩形板状の背面板２８０２と、背面板２８０２の上下方向の両端から起立する上面板２８０４および下面板２８０６と、背面板２８０２の上下方向と直交する幅方向の両端から起立する一対の側面板２８０８と、上面板２８０４、下面板２８０６、一対の側面板２８０８を接続する矩形枠状の前面板２８１０とを備え、前面板２８１０の内側に矩形状の開口２８１２が形成されている。
したがって、表示部用筐体２８は、水平方向の幅と、上下方向の長さと、それら幅および長さに直交する厚さを有している。
一対の側面板２８０８のうちの一方の側面板２８０８に、表示部用筐体２８の長手方向に間隔をおいて２つのアーム部２８２０が設けられている。
【００２３】
表示器３０は、例えば、液晶パネルや有機ＥＬパネルで構成され、細長の矩形板状を呈し、長手方向を一致させて表示部用筐体２８の内部のベースプレート（不図示）に収容保持されている。
表示器３０の表示面３０Ａは矩形状を呈し、開口２８１２から露出して利用者に提供すべき情報を表示する。表示面３０Ａは、表示部用筐体２８の厚さ方向の一方の面に設けられている。
利用者に提供すべき情報は、例えば、紙幣硬貨処理部１８に紙幣が挿入されている状況や硬貨が投入されている状況、挿入又は投入された通貨価値、カードリーダライタ２２によるカードの読み取り状況、カードの種別、カードに記録されている情報、会員情報、持玉あるいは持メダルの情報、持玉共有あるいは持メダル共有に関する情報、貯玉あるいは貯メダル情報、貯玉あるいは貯メダル乗入れに関する情報、遊技機１２にて使用可能な遊技価値に関する情報、遊技機１２から取得した遊技価値に関する情報、次に利用者が行う操作に関する情報、当該台間機１０の状態、通信状況、エラー情報、メンテナンス情報、広告、案内等である。
【００２４】
タッチパネル３２は、表示面３０Ａの表面に重ね合わせて設けられており、表示面３０Ａに操作ボタンが表示されることで、利用者がそれら操作ボタンをタッチすることにより、操作がなされるように構成されている。
表示面３０Ａに表示される操作ボタンは、例えば、カード返却ボタン、遊技価値の貸出ボタン、会員カード等の暗証番号入力ボタン、取消ボタン、決定ボタン、カーソルキー、表示切替ボタン、持玉あるいは持メダルの共有ボタン、貯玉あるいは貯メダル乗入れに関する操作ボタン、メンテナンス用のカード回収ボタン、情報表示ボタン、休憩モードに関するボタン、リセットボタン等である。
【００２５】
カメラ２６は、顔認証のために利用者の顔を撮像するものであり、表示面３０Ａが設けられた表示部用筐体２８の箇所、本実施の形態では、前面板２８１０の幅方向の一方の側部の上下方向の中央部に設けられている。
カメラ２６による撮影は、タッチパネル３２の操作時、すなわち、表示面３０Ａに表示される操作ボタンの操作時に行なうことができる。
また、操作ボタン３６の操作に伴って、カメラ２６で利用者の顔の撮像し撮像画像の保存を行うことができる。
また、カメラ２６による撮影は、定期的に行うこともできるし、現金挿入時やカード挿入時、カード返却時、エラー検出時、不正検出時、貸出ボタン操作時等のイベント発生時の撮影画像を用いて、利用者の認証や利用者の交代を判断することもできる。
また、定期的に撮影画像を一時保存しておき、イベント発生時の直前（２秒前など）に一時保存した撮影画像とイベントとを関連付けて保存する構成を用いることもできる。
カメラ２６による撮影画像は、台間機１０の情報処理部２０Ａが読み取ってその後の処理を行っても良いし、上位のカメラサーバ１０８（図８参照）が撮影画像を管理する構成を用いることもできる。
【００２６】
次に、第１の実施の形態の表示部の取り付け構造について詳細に説明する。
図３、図４に示すように、表示部の取り付け構造は、基部取付部３４と、表示基部３６と、筐体取付部３８とを備えている。
第１の実施の形態から第３の実施の形態では、基部取付部３４と表示基部３６とが一体に形成されている。
基部取付部３４は、表示部２４を支持すると共に、台間機１０の筐体１４に表示部２４を取り付けるための取付部である。
基部取付部３４は、厚さと、厚さより大きい寸法の幅と、幅よりも大きい寸法の長さとを有し、長方形板状を呈している。
基部取付部３４の幅方向の両端の側面３４０２には、厚さ方向の中心で上下方向に間隔をおいてそれぞれ２つの雌ねじ３４０２Ａ（両側面で４か所）を螺刻してある。
それら両端の側面３４０２の雌ねじ３４０２Ａは、厚さ方向の面の中心を中心として点対称の位置になるように螺刻され、また、後述する台間機１０を正面から見た場合の前後方向に延在する軸を前後軸４０（図５参照）とした場合に、この前後軸４０に対して点対称の位置に螺刻してある。
【００２７】
表示基部３６は、基部取付部３４の厚さ方向の一方の面から突設して一体に構成されている。
表示基部３６は、断面が半円状を呈している。
表示基部３６は、表示部用筐体２８の２つのアーム部２８２０の間に挿入され、不図示の支軸、ブッシュ、皿ばねなどからなる表示基部３６内の支持機構により、鉛直方向に延在する鉛直仮想軸Ａを中心に傾倒可能に支持されている。
本実施の形態では、支持機構はフリーストップヒンジで構成され、表示部２４の傾倒動作に摩擦力を与える構造となっている。
これにより、表示部用筐体２８すなわち表示部２４は、鉛直方向に延在する鉛直仮想軸Ａを中心に傾倒可能に支持され、また、その傾倒した表示部２４の姿勢が保持される。
なお、図４において符号２８２２はアーム部２８２０に形成された支軸挿通孔、符号３６０２は表示基部３６に設けられた支軸挿通孔を示している。
【００２８】
図１に示すように、筐体取付部３８は、筐体１４の正面板１４０６で貨幣投入口１４１２の下方かつカード投入口１４１４の上方に設けられ、基部取付部３４が取り付けられる箇所である。
図３に示すように、筐体取付部３８における凹部４２の内面形状は、基部取付部３４の外形に対応した形状で形成されているため、凹部４２に対して基部取付部３４を挿脱可能に取り付けることができる。
凹部４２は、上下方向において対向する上下面４２０２、４２０４と、それら上下面４２０２，４２０４の両端を接続する一対の側面４２０６と、それら上下面４２０２、４２０４、一対の側面４２０６を接続する底面４２０８とを有しており、底面４２０８には後述する表示部２４用のコードを挿通するための不図示の開口が形成されている。
図３，図５（Ａ）に示すように、凹部４２の一対の側面４２０６には、基部取付部３４に螺刻されている雌ねじ３４０２Ａに合致する箇所に、ねじ挿通孔４２０６Ａを開設してある。
このように基部取付部３４の外形形状は、筐体取付部３８における凹部４２中央の前後軸４０に対して点対称の形状で形成されている。
【００２９】
したがって図５（Ａ）に示すように、基部取付部３４の上下方向の両端のうちの何れの端部を上方に向けても下方に向けても、筐体取付部３８の凹部４２に収容することが可能となっている。
そして基部取付部３４を筐体取付部３８の凹部４２に収容した状態で、４つのねじ挿通孔４２０６Ａに４つのねじＮ１を挿通して、４つの雌ねじ３４０２Ａに螺合して固定することができる。
このように基部取付部３４は、筐体取付部３８の凹部４２に対して、前後軸４０回りに１８０度反転した第１取り付け位置と、第２取り付け位置とに付け替え可能となっている。
なお、図６に示す設置例（第１取り付け位置）では、利用者に提供すべき情報を表示する表示部２４の表示面３０Ａを、遊技機正面の遊技者が居る方向に向けることができる。また、図７に示す設置例（第２取り付け位置）でも、表示部２４の表示面３０Ａを遊技機正面の遊技者が居る方向に向けることができる。
ここで、図６に示す第１取り付け位置と、図７に示す第２取り付け位置とでは、表示部２４の上下方向が反転するため、表示面３０Ａに表示される画像も上下方向が反転することになる。そこで、例えば制御部２０に設けたディップスイッチを切り替えたり、上位のコンピュータからの指令を制御部２０が受信することにより、第１取り付け位置と第２取り付け位置との双方で表示面３０Ａに画像の上下方向が正しく表示されるように、情報処理部２０Ａが画像の表示の反転制御を行なう。
この画像の反転制御を、表示部２４の取り付け向きに応じて自動で切り替えるように構成することも可能である。例えば、表示部２４が第１取り付け位置に取り付けられているか、又は第２取り付け位置に取り付けられているかを検出するスイッチを筐体取付部３８付近に配置しておき、そのスイッチの状態を情報処理部２０Ａが読み取って、表示部２４が第１取り付け位置に取り付けられている場合と、第２取り付け位置に取り付けられている場合とで、画像の表示の反転制御を行なうことができる
【００３０】
次に、表示器３０、タッチパネル３２、カメラ２６と、制御部２０とを接続するコードの配線について説明する。
表示基部３６と２つのアーム部２８２０とを支持する支持機構の支軸には、中空支軸が設けられている。
表示基部３６の中央と基部取付部３４の中央とにわたり第１配線挿通孔が貫通形成されている。
筐体取付部３８の凹部４２の底面の中央には第２配線挿通孔が貫通形成されている。
表示器３０、タッチパネル３２、カメラ２６と、制御部２０とを接続するコードは、表示部用筐体２８の内部から、アーム部２８２０の内部、中空支軸の内部、第１配線挿通孔、第２配線挿通孔、凹部４２の底面４２０８の開口を経由して台間機１０の筐体１４の内部に引き回されている。
【００３１】
本実施の形態によれば、例えば台間機１０を遊技者から見て遊技機１２の左側に配置する場合には（図6に示す配置）、基部取付部３４を第１取り付け位置で筐体取付部３８に取り付ける。これにより表示部２４の表示面３０Ａは利用者の居る方向に向く（筐体１４の正面から左前方向に向く）ので、利用者は表示面３０Ａに表示されている情報が見易くなる。
台間機１０を遊技者から見て遊技機１２の右側に配置する場合には（図７に示す配置）、基部取付部３４を第２取り付け位置で筐体取付部３８に取り付ける。これにより表示部２４の表示面３０Ａは利用者の居る方向に向く（筐体１４の正面から右前方向に向く）ので、利用者は表示面３０Ａに表示される情報が見易くなる。
このように、基部取付部３４を筐体取付部３８に対して反転して取り付けるという簡単な作業を行うことにより、台間機１０における表示部２４の表示面３０Ａの左右方向の向きを変えることができるので、遊技店において遊技機１２のレイアウトやスペースなどに応じて台間機１０を遊技機１２の左側あるいは右側の何れの箇所にも設置することができるようになる。
また、表示部２４を右側に傾倒させる構造の台間機１０と、表示部２４を左側に傾倒させる構造の台間機１０とを別々に製造する必要がなくなるため、台間機１０の製造コストを削減し、遊技店において台間機１０についての費用を削減する上で有利となる。
【００３２】
また、本実施の形態では、基部取付部３４は、筐体取付部３８中央の前後軸４０に対して点対称の形状で形成されているので、第１取り付け位置と第２取り付け位置において、基部取付部３４を筐体取付部３８に簡単に脱着する上で有利となる。
【００３３】
また、本実施の形態では、基部取付部３４に雌ねじ３４０２Ａを螺刻するとともに、当該雌ねじ３４０２Ａに軸心が合致するねじ挿通孔４２０６Ａを筐体取付部３８に開設したので、第１取り付け位置と第２取り付け位置の双方において、基部取付部３４を筐体取付部３８に簡単に脱着する上で有利となる。
【００３４】
また、本実施の形態では、基部取付部３４の中央の前後軸４０付近に第１配線挿通孔が設けられているので、第１配線挿通孔を挿通したコードで表示部２４と台間機１０の筐体１４とを接続した状態で、基部取付部３４を筐体取付部３８に対して前後軸４０回りに第１取り付け位置と第２取り付け位置との間で回転してもコードが１８０度ねじられるだけで済むため、コードを取り外して配線し直すといった大掛かりな作業が不要となり、作業性の向上を図る上で有利となる。
【００３５】
また、本実施の形態では、表示部２４と表示基部３６との間には、表示基部３６に対して表示部２４を、鉛直軸（仮想鉛直軸Ａ）を中心として傾倒可能に支持する支持機構が設けられているので、表示部２４を傾倒させることで表示面３０Ａに表示される情報の視認性を確保する上で有利となる。
【００３６】
また、本実施の形態では、支持機構は、フリーストップヒンジで構成されているので、表示部２４の表示面３０Ａにタッチパネル３２が設けられている場合、タッチパネル３２を操作する程度の力が表示部２４に作用しても表示部２４は傾倒しないため、表示部２４の視認性を確保する上で有利となる。
なお、表示部２４の傾倒動作に摩擦力を与えるフリーストップヒンジとして、表示部２４がどの傾倒位置にあっても均一な摩擦力（保持力）が加わる構造のものを使用してもよく、あるいは、表示部２４の傾倒動作に伴ってカチッカチッと摩擦力が増減するステップ動作を生じる構造を採用することもできる。
【００３７】
また、本実施の形態では、表示部用筐体２８の厚さ方向の一方の面で上下方向の中央部に利用者の顔を撮像するカメラ２６が設けられているので、第１取り付け位置と第２取り付け位置との双方の位置で、表示面３０Ａの向きとカメラ２６の撮影方向とを一致させることができる。
そのため、カメラ２６の撮影方向が利用者の顔を指向する可能性が高くなり、カメラ２６により利用者の顔を的確に撮像する上で有利となる。
【００３８】
次に、図５（Ｂ）から（Ｄ）を参照して第１の実施の形態の変形例である第１から第３変形例について説明する。
第１から第３変形例では、基部取付部３４に対して基部取付部３４を固定するねじの配置が第１の実施の形態と異なっており、ねじの本数を減少させて作業性を向上させることができる。
なお、以下の変形例、実施の形態の説明では第１の実施の形態と同様の部分、部材に同一の符号を付して説明を省略し、異なった箇所について重点的に説明する。
まず、図５（Ｂ）を参照して第１変形例について説明する。
基部取付部３４の外形における幅方向の両端の側面３４０２には、第１の実施の形態と同様に、厚さ方向の中心で上下方向に間隔をおいて合計４つの雌ねじ３４０２Ａを、前後軸４０に対して点対称の位置に螺刻してある。
そして筐体取付部３８の凹部４２における一対の側面４２０６の下部には、凹部４２に基部取付部３４を収容した状態において、基部取付部３４に螺刻した雌ねじ３４０２Ａに合致する位置に、ねじ挿通孔４２０６Ａを２箇所開設してある。このねじ挿通孔４２０６Ａは、凹部４２の幅方向の中心を通り鉛直方向に延在する中心線Ｂに対して線対称の位置に開設してある。
これにより基部取付部３４を、基部取付部３４の上下方向の何れの端部を上方あるいは下方に向けても、凹部４２の側面に開設した２箇所のねじ挿通孔４２０６Ａが、基部取付部３４に螺刻した４つの雌ねじ３４０２Ａのうちの２箇所に合致する。よって２つのねじＮ２を用いて基部取付部３４を固定することができる。
なお、上記の実施例では、基部取付部３４に４つの雌ねじ３４０２Ａを螺刻すると共に、中心線Ｂに対して線対称のねじ挿通孔４２０６Ａを凹部４２の側面４２０６に２箇所開設して、２本のねじＮ２を用いて固定する例を示した。これとは逆に、基部取付部３４の中心線Ｂに対して線対称となる位置に２つの雌ねじ３４０２Ａを螺刻しておき、筐体取付部３８の凹部４２における一対の側面４２０６の下部に、雌ねじ３４０２Ａに合致するねじ挿通孔４２０６Ａを２箇所開設すると共に、これらのねじ挿通孔４２０６Ａとは別に、前後軸４０に対して点対称の位置に、更に２つのねじ挿通孔４２０６Ａを２箇所開設しておくことによっても、２つのねじＮ２を用いた１８０度反転の付け替えが可能である。
【００３９】
次に、図５（Ｃ）を参照して第２変形例について説明する。
第２変形例では、基部取付部３４の外形における幅方向の両端の側面３４０２に、第１の実施の形態と同様に、厚さ方向の中心で上下方向に間隔をおいて合計４つの雌ねじ３４０２Ａを、前後軸４０に対して点対称の位置に螺刻してある。
そして筐体取付部３８の凹部４２における一対の側面４２０６のうちの一方の側面４２０６には、凹部４２に基部取付部３４を収容した状態において、基部取付部３４に螺刻した雌ねじ３４０２Ａに合致する位置に、ねじ挿通孔４２０６Ａを２箇所開設してある。このねじ挿通孔４２０６Ａは、凹部４２の上下方向の中心を通り前後軸４０に直交する水平方向に延在する中心線Ｃに対して線対称の位置に開設してある。
これにより基部取付部３４を、基部取付部３４の上下方向の何れの端部を上方あるいは下方に向けても、凹部４２の一方の側面に開設した２箇所のねじ挿通孔４２０６Ａが、基部取付部３４に螺刻した４つの雌ねじ３４０２Ａのうちの２箇所に合致する。よって、２つのねじＮ３を用いて基部取付部３４を固定することができる。
なお、上記の変形例では、基部取付部３４に４つの雌ねじ３４０２Ａを螺刻すると共に、中心線Ｃに対して線対称のねじ挿通孔４２０６Ａを凹部４２の一方の側面４２０６に２箇所開設して、２本のねじＮ３を用いて固定する例を示した。これとは逆に、基部取付部３４の中心線Ｃに対して線対称となる位置に２つの雌ねじ３４０２Ａを螺刻しておき、筐体取付部３８の凹部４２における双方の側面４２０６に、雌ねじ３４０２Ａに合致するねじ挿通孔４２０６Ａを２箇所開設すると共に、これらのねじ挿通孔４２０６Ａとは別に、前後軸４０に対して点対称の位置に、更に２つのねじ挿通孔４２０６Ａを２箇所開設しておくことによっても、２つのねじＮ３を用いた１８０度反転の付け替えが可能である。
【００４０】
次に、図５（Ｄ）を参照して第３変形例について説明する。
第３変形例においても２つの形態を含んでおり、それら形態を第３変形例１、第３変形例２として説明する。
第３変形例１では、基部取付部３４の幅方向の一方の側面３４０２における上下方向の半部の箇所に、２つの雌ねじ３４０２Ａを螺刻すると共に、これらの雌ねじ３４０２Ａとは別に、前後軸４０に対して点対称の位置に、更に２つの雌ねじ３４０２Ａを螺刻しておく（合計４か所）。
そして、筐体取付部３８の凹部４２における一方の側面４２０６には、基部取付部３４に螺刻した２つの雌ねじ３４０２Ａと合致する位置に、ねじ挿通孔４２０６Ａを２箇所開設しておく。
これにより基部取付部３４を、基部取付部３４の上下方向の何れの端部を上方あるいは下方に向けても、凹部４２の一方の側面に開設した２箇所のねじ挿通孔４２０６Ａが、基部取付部３４に螺刻した４つの雌ねじ３４０２Ａのうちの２箇所に合致する。よって２つのねじＮ４を用いて基部取付部３４を固定することができる。
【００４１】
上記の第３変形例１では、基部取付部３４に４つの雌ねじ３４０２Ａを螺刻すると共に、筐体取付部３８における一方の側面４２０６に、ねじ挿通孔４２０６Ａを２箇所開設しておき、２本のねじＮ２を用いて固定する例を示した。
第３変形例２ではこれとは逆に、基部取付部３４の一方の側面３４０２で上下方向の半部の箇所に２つの雌ねじ３４０２Ａを螺刻しておく。そして筐体取付部３８の凹部４２における一方の側面４２０６には、基部取付部３４に螺刻した２つの雌ねじ３４０２Ａと合致する位置に、ねじ挿通孔４２０６Ａを２箇所開設しておく。
更に筐体取付部３８の他方の側面４２０６において、前後軸４０に対して点対称の位置に、２つのねじ挿通孔４２０６Ａを開設しておく（合計４か所）。
これにより基部取付部３４は、基部取付部３４の上下方向の何れの端部を上方あるいは下方に向けても、凹部４２の両側面４２０６に開設した４つのねじ挿通孔４２０６Ａのうちの２つのねじ挿通孔４２０６Ａが、基部取付部３４の２つの雌ねじ３４０２Ａに合致する。よって２つのねじＮ４を用いて基部取付部３４を固定することができる。
上記のような第１、第２、第３の変形例によっても第１の実施の形態と同様の効果が奏される。
【００４２】
（第２の実施の形態）
次に、図９（Ａ）、（Ｂ）を参照して第２の実施の形態について説明する。
第２の実施の形態では、基部取付部３４及び筐体取付部３８の内面に、前後方向及び垂直軸回りの位置決め構造が付加されている点で第１の実施の形態と異なっている。
基部取付部３４の外形は、第１の実施の形態と同様に、厚さと、厚さより大きい寸法の幅と、幅よりも大きい寸法の長さとを有する長方形板状を呈しているが、基部取付部３４の上下方向の両端の端面３４０４に、それぞれ幅方向に延在する係合凹部３４１０が設けられている。
係合凹部３４１０における谷の深さ方向の形状は、端面３４０４から深くなるにつれて谷の幅が狭くなるように形成されている。
基部取付部３４の奥行長さは、筐体取付部３８の凹部４２の奥行長さよりも短く形成されている。
また、筐体取付部３８の内面における下面４２０４には、基部取付部３４に形成した係合凹部３４１０に対して係合可能な係合凸部４２１０を、幅方向に延在して突設させてある。
このように係合凹部３４１０と係合凸部４２１０とを構成して係合させることによって、基部取付部３４は筐体取付部３８に対して前後方向及び垂直軸回りの位置決めを行うことができる。
また、基部取付部３４の幅方向の両側面３４０２には、それぞれ雌ねじ３４０２Ａを螺刻してある。それら雌ねじ３４０２Ａは、前後軸４０に対して点対称の位置に螺刻してある（図９（Ｂ）に示す例では、各側面３４０２に１箇所ずつ螺刻してある）。
この基部取付部３４の雌ねじ３４０２Ａに合致する位置のうち、係合凸部４２１０から離れた位置には、ねじ挿通孔４２０６Ａを開設してある（図９（Ｂ）に示す例では、凹部４２における一方の側面４２０６に開設してある）。
【００４３】
例えば表示面３０Ａの表示向きを変更するために、基部取付部３４を筐体取付部３８に対して取り付ける際には、先ず基部取付部３４を後傾させた状態で正面から筐体取付部３８に入れてゆく。
次いで基部取付部３４を筐体取付部３８の凹部４２内で下ろすことにより、係合凹部３４１０と係合凸部４２１０が係合し、基部取付部３４が筐体取付部３８に対して前後方向及び垂直軸回りの位置決めがなされた状態で収容される。
基部取付部３４を筐体取付部３８に収容した状態で、ねじ挿通孔４２０６ＡにねじＮ５を挿通して、雌ねじ３４０２Ａと螺合させて基部取付部３４を凹部４２に固定する。
このような第２の実施の形態によっても第１の実施の形態と同様の効果が奏される。
【００４４】
（第３の実施の形態）
次に、図１０（Ａ）、（Ｂ）、（Ｃ）を参照して第３の実施の形態について説明する。
第３の実施の形態では、回動中心となる前後軸４０の位置に回動軸４４０２を配置すると共に、回動軸４４０２に固定されて１８０度の範囲で回動する固定腕４４０４を、筐体取付部４６に対して第１取り付け位置と、反転した第２取り付け位置とに固定することが可能な構造である点が第１の実施の形態と異なっている。
図１０（Ｂ）、（Ｃ）に示すように、表示部用筐体２８の一方の側面板２８０８からは、基部２８３０と、２つのアーム部２８２０とが延出している。
２つのアーム部２８２０の間には表示基部３６が挿入され、不図示の支軸、ブッシュ、皿ばねなどからなる不図示の支持機構により、鉛直方向に延在する鉛直仮想軸Ａを中心に傾倒可能に結合される。表示部２４は、鉛直方向に延在する鉛直仮想軸Ａを中心に傾倒可能に支持され、また、その傾倒した表示部２４の姿勢が保持される。
基部取付部４４は、表示基部３６の上下方向の中央部から筐体１４の奥に向けて突設した回動軸４４０２と、回動軸４４０２の長手方向の中央部から回動軸４４０２と直交する放射方向に突設した固定腕４４０４とを含んで構成されている。
固定腕４４０４の先部には、雌ねじ４４０３が貫通螺刻されている。
【００４５】
筐体取付部４６は、回動軸４４０２を回動可能に軸支する軸受４６０１を有すると共に、固定腕４４０４を第１取り付け位置（図１０（Ａ）に実線で示す第１取り付け位置）に固定する際に、ねじＮ６を挿通するためのねじ挿通孔４６０２を開設してある。
また、筐体取付部４６には、固定腕４４０４を第１取り付け位置に対して１８０度反転した第２取り付け位置（図１０（Ａ）に一点鎖線で示す第２取り付け位置）に固定する際に、ねじＮ６を挿通するためのねじ挿通孔４６０２を開設してある。
なお、図１０（Ｃ）において、符号２８３２、符号４４１０はコード挿通孔、符号２８２２、符号３６０２は支軸挿通孔を示している。
【００４６】
第３の実施の形態によれば、例えば、固定腕４４０４を上方に向けた状態でねじ挿通孔４６０２に１本のねじＮ６を挿通して雌ねじ４４０３と螺合することにより、基部取付部４４が筐体取付部４６に固定される。
その状態で表示部２４の表示面３０Ａが、遊技機正面の遊技者が居る方向に向いていない場合には、ねじＮ６を外して基部取付部４４を左回りに１８０度回動させて、固定腕４４０４を下方に向けた状態でねじ挿通孔４６０２にねじＮ６を挿通して雌ねじ４４０３と螺合することにより、表示部２４の表示面３０Ａを遊技機正面の遊技者が居る方向に向けて固定することができる。
【００４７】
上記の第３の実施の形態によれば、第１、第２の実施の形態と同様に、遊技店において遊技機１２のレイアウトやスペースなどに応じて台間機１０を遊技機１２の左側あるいは右側の何れの任意の箇所に何ら制約を受けることなく設置でき、遊技店において台間機１０の設置を簡単に行なう上で有利となり、表示部２４を左側に傾倒させる構造の台間機１０とを別々に製造する必要がなくなるため、台間機１０の製造コストを削減し、遊技店において台間機１０についての費用を削減する上で有利となる。
【００４８】
（第４の実施の形態）
次に、図１１、図１２，図１３を参照して第４の実施の形態について説明する。
図１１に示す表示部用筐体２８は、図１３に示す筐体用ブラケット４８によって支持されている。
図１３に示す筐体用ブラケット４８は、表示部用筐体２８を取着する基部４８０２と、基部４８０２の両側から起立するアーム部４８０４とを有している。
基部４８０２の長手方向には、２つのねじ挿通孔４８０２Ａが並べられて設けられ、それら２つのねじ挿通孔４８０２Ａを挿通した不図示のねじを表示部用筐体２８の不図示の雌ねじに螺合させることで、基部４８０２に表示部用筐体２８が取着される。
【００４９】
図１３に示す表示基部５０は、表示部用ブラケット５２を含んで構成されている。
表示部用ブラケット５２は、基部取付部５６に取着する基部５２０２と、基部５２０２の両側から起立するアーム部５２０４とを有している。
なお、この第４の実施の形態では、表示基部５０と基部取付部５６とが別部材で構成されている。
筐体用ブラケット４８のアーム部４８０４と表示部用ブラケット５２のアーム部５２０２は、それらアーム部４８０４、５２０２の間に挿入された支軸５４、不図示のブッシュ、皿ばねなどからなる支持機構からなるフリーストップヒンジで鉛直方向に延在する鉛直仮想軸Ａを中心に傾倒可能に結合されている。
【００５０】
基部取付部５６は、表示部用ブラケット５２を結合すると共に、基部用ブラケット５８を用いて筐体１４のフレーム１４Ａに取り付ける構成を有している。
基部用ブラケット５８は、筐体１４のフレーム１４Ａに取り付けるための挿入板部５８０２と、挿入板部５８０２から起立して表示部用ブラケット５２を結合する起立板部５８０４とを備えている。
挿入板部５８０２は、幅と、幅よりも大きい長さを有し、挿入板部５８０２の長手方向の中央部にはコード挿通孔５８０２Ａが形成されている。
また、挿入板部５８０２の長手方向でコード挿通孔５８０２Ａの両側には、円筒状カバー６２を固定するためのねじ挿通孔５８０２Ｂが形成されている。
また、挿入板部５８０２にはコード挿通孔５８０２Ａの半径方向外側の箇所に、筐体１４に固定するためのねじ挿通孔５８０２Ｃが形成されている。
このねじ挿通孔５８０２Ｃの中心は、筐体１４のフレーム１４Ａに取り付けられている加締ナット１４２０の雌ねじ１４２２と一致するように開設されており、図１１、図１２に示すように、ねじＮ１０を用いて挿入板部５８０２を筐体１４のフレーム１４Ａに固定することができる。
また、表示部２４を１８０度反転した際に固定するための他の加締ナット１４２０（雌ねじ１４２２）は、コード挿通孔５８０２Ａを中心とした点対称の箇所にも設けられている。
したがって図１１に示すように、起立板部５８０４を挿入板部５８０２の左側に位置させた状態でフレーム１４Ａの取付位置に当接させると、ねじ挿通孔５８０２Ｃと、フレーム１４Ａの箇所に取り付けられている加締ナット１４２０の雌ねじ１４２２とが合致するので、ねじＮ１０を用いて挿入板部５８０２を筐体１４のフレーム１４Ａに固定することができる。
また、表示部２４を１８０度反転して固定する場合には、起立板部５８０４を挿入板部５８０２の右側に位置させた状態で、フレーム１４Ａの取付位置に当接させると、ねじ挿通孔５８０２Ｃと、フレーム１４Ａの箇所に取り付けられている加締ナット１４２０の雌ねじ１４２２とが合致するので、ねじＮ１０を用いて挿入板部５８０２を筐体１４のフレーム１４Ａに固定することができる。
なお、フレーム１４Ａの２つの雌ねじ１４２２に対応するカバー１５の箇所には、ねじＮ１０の頭部を収容する孔１５０２が設けられている。
【００５１】
図１１、図１２に示すように、基部用ブラケット５８を取着する筐体１４のカバー１５の前面中央には、表示部２４の円筒状カバー６２を貫通させるための円形の開口１５１０を形成してある。
この開口１５１０の裏面側の外周部であって、筐体１４のフレーム１４Ａとカバー１５との間には、挿入板部５８０２の長手方向の両翼部を回動可能に収容するための円盤状の空隙６０を形成してある。
基部用ブラケット５８の挿入板部５８０２は、その両側が空隙６０に収容された状態でコード挿通孔５８０２Ａの中心を中心として１８０度旋回可能に配置されている。
【００５２】
基部用ブラケット５８の起立板部５８０４は、挿入板部５８０２の幅方向の一側に起立して設けられ、カバー１５に開設した開口１５１０内に配置される。
図１３に示すように、基部用ブラケット５８の起立板部５８０４には、ブラケット結合用雌ねじ５８０４Ａと、背面カバー結合用雌ねじ５８０４Ｂと、ブラケット結合用雌ねじ５８０４Ａとが長手方向にそれらの順に並べられて形成されると共に、これらに合致する表示部用ブラケット５２の基部５２０２の箇所には、ねじ挿通孔５２０２Ａと、雌ねじ５２０２Ｂと、ねじ挿通孔５２０２Ａとが設けられている。
図１１、図１３に示すように、起立板部５８０４と表示部用ブラケット５２の基部５２０２とは、２本のねじＮ１１を用いて重ね合わせて結合される。
【００５３】
図１１、図１２に示すように、筐体１４のカバー１５の開口１５１０には、円筒状カバー６２が挿通している。
円筒状カバー６２は、表示部２４の傾倒状態において表示基部５０を隠し、台間機１０の外観性を高める箇所である。
円筒状カバー６２は、カバー１５から起立する円筒面部６２０２と、円筒面部６２０２の先端を閉塞する円形の頂面部６２０４とを有し、頂面部６２０４には互いに平行して水平方向に延在する横溝６２０４Ａが設けられ、また、円筒面部６２０２の上方を向いた箇所にコード挿通孔６２０２Ａが形成されている。
横溝６２０４Ａには表示部用ブラケット５２の両側のアーム部５２０４が挿入され、表示部用筐体１４の仮想鉛直軸Ａを中心とする傾倒が円滑になされるように図られている。
図１２に示すように、本実施の形態では、円筒状カバー６２は左右方向に分割された２つの分割体６２Ａ、６２Ｂで構成されている。
図１１に示すように、一方の分割体６２Ａは、基部取付部５６の挿入板部５８０２の２つのねじ挿通孔５８０２Ｂを挿通した２つのねじＮ１２により挿入板部５８０２に取り付けられている。
図１１、図１２に示すように、他方の分割体６２Ｂは、表示部用ブラケット５２の基部５２０２と起立板部５８０４とが重ね合わされた状態で、１本のねじＮ１３を起立板部５８０４のねじ挿通孔５８０４Ｂに挿通して、基部５２０２の雌ねじ５２０２Ｂと螺合することにより結合されている。
【００５４】
また、表示器３０、タッチパネル３２、カメラ２６と、制御部２０とを接続するコード６４は、図１１、図１２に示すように、表示部用筐体２８の内部からアーム部２８２０の内部、円筒状カバー６２のコード挿通孔６２０２Ａ、円筒状カバー６２の内部、挿入板部５８０２のコード挿通孔５８０２Ａ、筐体１４のフレーム１４Ａのコード挿通孔１４３０を経由して台間機１０の筐体１４の内部に引き回されている。
なお、第４の実施の形態では、筐体取付部６６は、開口１５１０と、空隙６０と、雌ねじ１４２２とを含んで構成されている。
【００５５】
第４の実施の形態によれば、例えば、基部取付部５６の挿入板部５８０２の両翼部を空隙６０に挿入した状態で、挿入板部５８０２のねじ挿通孔５８０２ＣにねじＮ１０を挿通する。そして、ねじＮ１０を筐体１４のフレーム１４Ａの雌ねじ１４２２に螺合することにより、基部取付部５６を筐体取付部６６に固定することができる。その状態で表示部２４の表示面３０Ａが左向きとなっている場合であって、表示部２４の表示面３０Ａを右向きに変更したい場合には、ねじＮ１０を外して基部取付部５６の挿入板部５８０２をコード挿通孔５８０２Ｃの中心を中心として１８０度旋回させてから、挿入板部５８０２のねじ挿通孔５８０２ＣにねじＮ１０を挿通する。そして、ねじＮ１０を筐体１４のフレーム１４Ａの雌ねじ１４２２に螺合することにより、基部取付部５６を筐体取付部６６に固定すればよい。
【００５６】
したがって、第４の実施の形態によれば、第１から第３の実施の形態と同様に、遊技店において遊技機１２のレイアウトやスペースなどに応じて台間機１０を遊技機１２の左側あるいは右側の何れの任意の箇所に何ら制約を受けることなく設置でき、遊技店において台間機１０の設置を簡単に行なう上で有利となり、表示部２４を左側に傾倒させる構造の台間機１０とを別々に製造する必要がなくなるため、台間機１０の製造コストを削減し、遊技店において台間機１０についての費用を削減する上で有利となる。
【符号の説明】
【００５７】
１０  台間機
１２  遊技機
１２Ａ  管理遊技機（パチンコ台）
１２Ｂ  メダルレス遊技機（スロット台）
１４  筐体
２４  表示部
２６  カメラ
２８  表示部用筐体
３０Ａ  表示面
３４  基部取付部
３４０２Ａ  雌ねじ
３６  表示基部
３８  筐体取付部
４０  前後軸
４２０６Ａ  ねじ挿通孔
４４  基部取付部
４６  筐体取付部
５０  表示基部
５６  基部取付部
６４  コード
６６  筐体取付部
Ａ  仮想鉛直軸（鉛直軸）
【図１】
2019093300.tif 000003
【図２】
2019093300.tif 000004
【図３】
2019093300.tif 000005
【図４】
2019093300.tif 000006
【図５】
2019093300.tif 000007
【図６】
2019093300.tif 000008
【図７】
2019093300.tif 000009
【図８】
2019093300.tif 000010
【図９】
2019093300.tif 000011
【図１０】
2019093300.tif 000012
【図１１】
2019093300.tif 000013
【図１２】
2019093300.tif 000014
【図１３】
2019093300.tif 000015